(57)【要約】【課題】スプレー本体を良好に保護することができると共に、商品陳列時における薬剤の噴射といった誤作動の発生を防止するため、スプレー本体に確実かつ容易に外れないようにしたトリガー式スプレー装置におけるスプレーカバーを提供する。【解決手段】トリガー式スプレー装置におけるスプレー本体２に装着して、これらを覆って保護するトリガー式スプレー装置におけるスプレーカバーにおいて、スプレー本体２の上部に被着する天面板１１と、スプレー本体２の左右側部それぞれに被着する左右の側面板１２と、スプレー本体２の噴射ノズル６の下部において左右の側面板１２を連結する前方連結板１３と、スプレー本体２の後方下部において左右の側面板１２を連結する後方連結板１４とから構成する。【選択図】　　　図３
2004041876.tif 000002
【特許請求の範囲】
【請求項１】
前方上部に噴射ノズル６を、この噴射ノズル６の若干後方の下部にトリガーレバー４をそれぞれ備えたスプレー本体２を、薬剤を収容する容器１の上部に備えた構成のトリガー式スプレー装置にあって、このトリガー式スプレー装置におけるスプレー本体２に装着して、これらを覆って保護するトリガー式スプレー装置におけるスプレーカバーにおいて、
スプレー本体２の上部に被着する天面板１１と、スプレー本体２の左右側部それぞれに被着する左右の側面板１２と、スプレー本体２の噴射ノズル６の下部において左右の側面板１２を連結する前方連結板１３と、スプレー本体２の後方下部において左右の側面板１２を連結する後方連結板１４とから構成したことを特徴とするトリガー式スプレー装置におけるスプレーカバー。
【請求項２】
前方連結板１３と後方連結板１４とにおいて、スプレー本体２に装着する際、スプレー本体２をけんどん式に嵌入可能にしたことを特徴とする請求項１記載のトリガー式スプレー装置におけるスプレーカバー。
【請求項３】
前方連結板１３と後方連結板１４との間隔距離をスプレー本体２の前端から後端までの距離より小さくしたことを特徴とする請求項１又は請求項２記載のトリガー式スプレー装置におけるスプレーカバー。
【請求項４】
左右の側面板１２の内側に、スプレー本体２の下部に僅かに当たると共にスプレー本体２に前後方向から当たるように内側に向かって突き出た突出板１５を備えたことを特徴とする請求項１又は請求項２又は請求項３記載のトリガー式スプレー装置におけるスプレーカバー。
【発明の詳細な説明】
【０００１】
【発明の属する技術分野】
本発明は、噴射ノズルとトリガーレバーをそれぞれ備えたスプレー本体を、薬剤を収容する容器の上部に備えたトリガー式スプレー装置にあって、このトリガー式スプレー装置におけるスプレー本体に装着して、これらを覆って保護するトリガー式スプレー装置におけるスプレーカバーに関する。
【０００２】
【従来の技術】
従来、衣料用として被服等に、あるいは住居用として壁や窓やカーテンに、さらに車用として自動車の室内に、また園芸用として植物に、ペット用として動物に、各種の薬剤、例えば、消臭剤や芳香剤、除菌剤、殺虫剤や害虫駆除剤といった薬剤を噴霧するためのトリガー式スプレー装置が知られていた。
【０００３】
このトリガー式スプレー装置は、図１に示すように、各種の薬剤を収容する容器１を備え、この容器１は上部を開口する。そして、この容器１の上部にスプレー本体２を備え、このスプレー本体２は、下部に備えるキャップ３を介して容器１の上部に着脱自在に装着する。また、このスプレー本体２には、図示していないがバルブを内蔵し、このバルブは後述するトリガーレバー４により作動すると共に、このバルブに接続する吸い上げチューブ５を備え、この吸い上げチューブ５は容器１の下端部まで下がっている。このバルブの作動により吸い上げチューブ５を介して容器１内に収容した薬剤を吸い上げる。一方、スプレー本体２には、前方上部にバルブに接続する噴射ノズル６を備え、この噴射ノズル６からバルブにより吸い上げた薬剤を噴射する。なお、この噴射ノズル６は外周部を回転することで噴射をロックさせることができる。また、スプレー本体２には、この噴射ノズル６の若干後方の下部にトリガーレバー４を備えて、このトリガーレバー４を引くことにより噴射ノズル６における噴射を開始する。
【０００４】
そして、このようなトリガー式スプレー装置において、商品として販売する際、特に包装箱等には入れられていないものが大半であり、さらにはシュリンクフィルムによる包装を行わず、全く追加的な包装を加えられずに販売されているものも多かった。
【０００５】
しかしながら、近年、他商品との識別性の向上や商品特長や使用方法を補助的に記載することを目的として、トリガー式スプレー装置にシール等の貼付を行ったり、トリガー式スプレー装置の一部のみを包装するといったことが行われるようになってきた。これは、図１５に示すように、トリガー式スプレー装置におけるスプレー本体２のみをスプレーカバー２０で包装するもので、このスプレーカバー２０は、スプレー本体２の上部に被着する天面板２１と、スプレー本体２の左右側部の上方側のみに被着する左右の側面板２２とから構成され、この天面板２１や左右の側面板２２から構成されるスプレーカバー２０は紙からできていた。
【０００６】
【発明が解決しようとする課題】
かかる従来のトリガー式スプレー装置におけるスプレーカバーにあっては、スプレー本体に被せただけの状態で載置されているため、スプレー本体より前側や後側あるいは上側に容易に外れてしまうといったことがあり、このため、スプレー本体を保護することができないといった問題が起こり、さらに、スプレー本体の噴射ノズルがいじられてロックが解除されると、商品陳列時に薬剤が噴射するといった誤作動が発生するおそれもあった。
【０００７】
本発明は、スプレー本体の保護や商品陳列時における薬剤の噴射といった誤作動の発生を防止するため、スプレー本体に確実かつ容易に外れないようにしたトリガー式スプレー装置におけるスプレーカバーを提供することを、その課題とするものである。
【０００８】
【課題を解決するための手段】
第一の発明は、前方上部に噴射ノズルを、この噴射ノズルの若干後方の下部にトリガーレバーをそれぞれ備えたスプレー本体を、薬剤を収容する容器の上部に備えた構成のトリガー式スプレー装置にあって、このトリガー式スプレー装置におけるスプレー本体に装着して、これらを覆って保護するトリガー式スプレー装置におけるスプレーカバーにおいて、スプレー本体の上部に被着する天面板と、スプレー本体の左右側部それぞれに被着する左右の側面板と、スプレー本体の噴射ノズルの下部において左右の側面板を連結する前方連結板と、スプレー本体の後方下部において左右の側面板を連結する後方連結板とから構成したトリガー式スプレー装置におけるスプレーカバーである。
【０００９】
第二の発明は、第一の発明における前方連結板と後方連結板とにおいて、スプレー本体に装着する際、スプレー本体をけんどん式に嵌入可能にしたトリガー式スプレー装置におけるスプレーカバーである。
【００１０】
第三の発明は、第一の発明又は第二の発明において、前方連結板と後方連結板との間隔距離をスプレー本体の前端から後端までの距離より小さくしたトリガー式スプレー装置におけるスプレーカバーである。
【００１１】
第四の発明は、第一の発明又は第二の発明又は第三の発明において、左右の側面板の内側に、スプレー本体の下部に僅かに当たると共にスプレー本体に前後方向から当たるように内側に向かって突き出た突出板を備えたトリガー式スプレー装置におけるスプレーカバーである。
【００１２】
【作　用】
第一の発明によれば、スプレーカバーをスプレー本体に装着したとき、前方連結板と後方連結板とによりスプレー本体の前後において係止することができ、スプレーカバーをスプレー本体から外れにくくすることができる。
【００１３】
第二の発明によれば、スプレーカバーをスプレー本体に装着する際、前方連結板と後方連結板とにおいて、スプレー本体をけんどん式に嵌入可能にしたことにより、スプレー本体に容易に装着することができる。
【００１４】
第三の発明によれば、前方連結板と後方連結板との間隔距離をスプレー本体のトリガーレバーの前端から後端までの距離より小さくしたことにより、この前方連結板と後方連結板とによりスプレー本体に対してスプレーカバーを垂直方向に全く外れないようにすることができる。
【００１５】
第四の発明によれば、左右の側面板の内側にスプレー本体の下部に僅かに当たると共にスプレー本体に前後方向から当たるように内側に向かって突き出た突出板を備えたことにより、この突出板によってもスプレー本体に係止することができ、特に、突出板がスプレー本体に前後方向から当たることで、スプレー本体に対するスプレーカバーの前後への動きも規制することができ、スプレーカバーをスプレー本体からさらに外れにくくすることができる。
【００１６】
【発明の実施の形態】
本発明によるトリガー式スプレー装置におけるスプレーカバーの一実施の形態について説明する。なお、トリガー式スプレー装置は、従来と同じであるので、ここでは説明を省略する。
【００１７】
スプレーカバー１０としては、図２、図３、図４に示すように、前後細長でスプレー本体２の上部に被着する天面板１１と、この天面板１１の左右より垂下してスプレー本体２の左右側部それぞれに被着する左右の側面板１２と、この左右の側面板１２間の前方であってスプレー本体２の噴射ノズル６の下部において左右の側面板１２を連結する前方連結板１３と、左右の側面板１２間の後方であってスプレー本体２の後方下部において左右の側面板１２を連結する後方連結板１４とから構成する。なお、このスプレーカバー１０は紙からできている。
【００１８】
天面板１１はトリガー式スプレー装置におけるスプレー本体２の前後の大きさと略同等かあるいは僅かに大きくして、左右の幅もスプレー本体２の左右幅より僅かに大きくする。
【００１９】
そして、左右の側面板１２において、一方の側面板１２ａはスプレー本体２における側面全体の大きさと略同等かあるいは僅かに大きくなる長方形状にする。また、他方の側面板１２ｂもスプレー本体２における側面全体の大きさと略同等かあるいは僅かに大きくするが、前方において下部から２／３程度まで大きく切り込んで、ここを折り曲げて、前方連結板１３にすると共に、後方において下部から１／３程度まで切り込んで、ここを折り曲げて、後方連結板１４にする。
【００２０】
そして、前方連結板１３は左右の側面板１２における他方の側面板１２ｂの一部を大きく切り込んで折り曲げることで、スプレー本体２のトリガーレバー４の前方で噴射ノズル６のすぐ下において左右の側面板１２を連結するようにしている。
【００２１】
また、後方連結板１４は左右の側面板１２における他方の側面板１２ｂの一部を切り込んで折り曲げることで、スプレー本体２の後方のすぐ下において左右の側面板１２を連結するようにしている。
【００２２】
この前方連結板１３と後方連結板１４とにあっては、前方連結板１３が噴射ノズル６のすぐ下において左右の側面板１２を連結し、後方連結板１４がスプレー本体２の後方のすぐ下において左右の側面板１２を連結しており、前方連結板１３を上側に、後方連結板１４を下側に、すなわち上下方向においてずらして配置している。このとき、この前方連結板１３と後方連結板１４との水平方向での間隔距離Ｌ１は、スプレー本体２の前端から後端までの水平方向での距離Ｌ２より小さくする。
【００２３】
一方、左右の側面板１２において、その内側に後方連結板１４の前方で内側に向かって突き出た左右の突出板１５をそれぞれ備える。この突出板１５は後方連結板１４に連続しており、この後方連結板１４と同様、左右の側面板１２における他方の側面板１２ｂの一部を切り込んで折り曲げることで作られる。そして、この突出板１５の前端が後端より若干多く突き出るようにし、スプレー本体２の下部に僅かに当たると共に、スプレー本体２のキャップ３の後ろ側に前後方向である後方の一方から当たるようにしている。
【００２４】
次に、このような構成のスプレーカバー１０において、トリガー式スプレー装置への装着例について述べると、スプレーカバー１０にあっては、前方連結板１３と後方連結板１４とにおいて、トリガー式スプレー装置のスプレー本体２をけんどん式に嵌入可能にしており、具体的には、図５に示すように、まず、スプレー本体２の噴射ノズル６を前方連結板１３と天面板１１及び左右の側面板１２によって囲まれた空間内に嵌入し、これを前方に深く嵌入した後、次に、スプレー本体２の後方を後方連結板１４と天面板１１及び左右の側面板１２によって囲まれた空間内に嵌入する。そして、図３に示すように、スプレー本体２の後方を嵌入した後、スプレー本体２をスプレーカバー１０に対して若干後方に戻す。これにより、トリガー式スプレー装置のスプレー本体２全体を被うようにスプレーカバー１０を装着することができる。
【００２５】
このようにスプレーカバー１０をトリガー式スプレー装置のスプレー本体２に装着することで、前方連結板１３によりスプレー本体２の前方である噴射ノズル６の下部に係止することができ、また、後方連結板１４によりスプレー本体２の後方の下部に係止することができ、さらに、左右の突出板１５がスプレー本体２の下部に僅かに当たると共に、スプレー本体２のキャップ３の後ろ側に後方から当たることで、ここでも係止することができる。特に、左右の突出板１５がスプレー本体２のキャップ３の後ろ側に後方から当たることで、スプレー本体２に対するスプレーカバー１０の前後への動きも規制することができる。
【００２６】
なお、このスプレーカバー１０にあっては、図６に示すように、一枚の紙を切り込むと共に、折り曲げることにより製作することができる。これは、全体を左右横長状にしたものにおいて、左右略中央に折り目線ａ（谷折り）を縦に２本形成する。そして、左側の下部には、台形状に切り込んだ切り込み部ｂを形成し、この切り込み部ｂの両側に折り目線ｃ（谷折り）を縦に２本形成する。また、左側の上部には、斜め上方に切り込み線ｄを形成すると共に、その先に横に向かう切り込み線ｅを形成し、この横に向かう切り込み線ｅの両側に折り目線ｆ（谷折り）を縦に短く２本形成する。
【００２７】
これにより、図７に示すように、左右略中央に折り目線ａをそれぞれ谷折りし、この２本の折り目線ａの内側を天面板１１に、この２本の折り目線ａの外側を左右の側面板１２等にする。そして、左側の下部の折り目線ｃにおいて谷折りし、その端部を貼り付けて固着することで、ここを後方連結板１４と突出板１５にする。また、左側の上部の折り目線ｆにおいて谷折りし、その端部を貼り付けて固着することで、ここを前方連結板１３にする。
【００２８】
以上のように構成したスプレーカバー１０では、スプレー本体２に装着したとき、前方連結板１３と後方連結板１４とによりスプレー本体２の前後において係止することができ、スプレーカバー１０をプレー本体２から外れにくくすることで、スプレー本体２を確実かつ良好に保護することができると共に、商品陳列時における薬剤の噴射といった誤作動の発生を防止することができる。
【００２９】
しかも、スプレーカバー１０をスプレー本体２に装着する際、前方連結板１３と後方連結板１４とにおいて、スプレー本体２をけんどん式に嵌入可能にしたことにより、スプレー本体２に容易に装着することができる。
【００３０】
また、前方連結板１３と後方連結板１４との間隔距離Ｌ１をスプレー本体２の前端から後端までの距離Ｌ２より小さくしたことにより、この前方連結板１３と後方連結板１４とによりスプレー本体２に対してスプレーカバー１０を垂直方向に全く外れないようにすることができる。
【００３１】
さらに、左右の側面板１２の内側に左右の突出板１５を備えたことで、この突出板１５がスプレー本体２の下部に僅かに当たると共に、スプレー本体２のキャップ３の後ろ側に後方から当たり、この突出板１５によってもスプレー本体２に係止することができ、特に、突出板１５がスプレー本体２のキャップ３の後ろ側に後方から当たることで、スプレー本体２に対するスプレーカバー１０の前後への動きも規制することができ、スプレーカバー１０をスプレー本体２からさらに外れにくくすることができる。
【００３２】
また、この突出板１５を備えたことで、トリガー式スプレー装置において、多種多様な形状となるスプレー本体２に対しても確実に対応することができ、スプレー本体２からスプレーカバー１０を常に外れにくくすることができる。
【００３３】
なお、スプレー本体２は前述したように多種多様な形状となるものであることから、例えば、図８に示すように、スプレー本体２の後端の上部側が後方に突き出るような形状のものにあっては、後方連結板１４がスプレー本体２の後端に直接当たることがなく、スプレー本体２の後方の下部の一部が突出板１５に当たって、この突出板１５でスプレー本体２に係止するようにしており、この突出板１５によりスプレーカバー１０をスプレー本体２から外れにくくしている。
【００３４】
また、このスプレーカバー１０にあっては、一枚の紙を切り込むと共に、折り曲げることにより製作することができ、スプレーカバー１０の組立てが非常に簡単であり、かつ極めて安価にこれを製作することができる。
【００３５】
また、左右の側面板１２において、スプレー本体２における側面全体の大きさと略同等かあるいは僅かに大きくしたことで、スプレー本体２全体を良好に保護することができると共に、ここに商品の説明や取り扱い方法を記載することもでき、デザイン的にも優れたものにすることができる。
【００３６】
なお、この左右の側面板１２において、その大きさはスプレー本体２における側面全体の大きさと略同等かあるいは僅かに大きくしていたが、これに限定されるものではない。特に、左右の側面板１２における一方の側面板１２ａは、他方の側面板１２ｂの一部を切り込んで折り曲げて形成する前方連結板１３や後方連結板１４を固着する部分を有する構造のものであれば良く、その形状等は任意である。
【００３７】
また、本発明によるトリガー式スプレー装置におけるスプレーカバーにあっては、前述したものに限定されるものではなく、以下のようなものでも良い。
【００３８】
例えば、図９に示すように、左右の側面板１２の内側に備える左右の突出板１５を、前述したような後方連結板１４の前方ではなく、前方連結板１３の後方にそれぞれ備えるようにしても良い。このとき、この左右の突出板１５はスプレー本体２のキャップ３に前後方向の一方である前方から当たるようにしても良いが、スプレー本体２に対するスプレーカバー１０の前後への動きを規制することができるのであれば、スプレー本体２において、キャップ３以外のスプレー本体２の一部に前方から当たるようにしても良い。さらに、突出板１５の別の例としては、突出板１５を左右にそれぞれ備えるのではなく、図１０に示すように、前方連結板１３の後方に後方に半円状に突き出るような形にしても良い。
【００３９】
なお、この突出板１５は、前後方向一方の後方から、あるいは前後方向一方の前方からスプレー本体２に当たるようにしていたが、突出板１５を前方連結板１３と後方連結板１４の両方に備えて、前後方向の前後両側からスプレー本体２に当たるようにしても良い。これにより、ここでのスプレー本体２への係止を強固にすることができる。
【００４０】
一方、スプレーカバー１０において、図１１や図１２に示すように、突出板１５を備えないようにしても良く、これは、スプレーカバー１０を、前述と同様の天面板１１と左右の側面板１２と前方連結板１３と後方連結板１４のみから構成し、左右の側面板１２の内側には突出板１５を一切備えないようにする。このときの前方連結板１３と後方連結板１４とにあって、この前方連結板１３と後方連結板１４との水平方向での間隔距離Ｌ１は、前述と同様、スプレー本体２の前端から後端までの水平方向での距離Ｌ２より小さくする。このように前方連結板１３と後方連結板１４のみでも、スプレーカバー１０をスプレー本体２に装着したとき、スプレー本体２の前後において係止することで、スプレー本体２からスプレーカバー１０を外れにくくすることができる。
【００４１】
また、このスプレーカバー１０において、スプレー本体２に装着する際、前方連結板１３と後方連結板１４とにおいて、スプレー本体２をけんどん式に嵌入するが、これについても前述したものに限定されるものではなく、前述の突出板１５を備えないようにしたものにおいて、例えば、図１３に示すように、まず、スプレー本体２の後方を後方連結板１４と天面板１１及び左右の側面板１２によって囲まれた空間内に嵌入し、これを後方に深く嵌入した後、次に、図１４に示すように、スプレー本体２の噴射ノズル６を前方連結板１３と天面板１１及び左右の側面板１２によって囲まれた空間内に嵌入する。そして、スプレー本体２の噴射ノズル６を嵌入した後、スプレー本体２をスプレーカバー１０に対して若干前方に戻す。これにより、トリガー式スプレー装置のスプレー本体２全体を被うようにスプレーカバー１０を装着する。
【００４２】
以上のように、本発明によるトリガー式スプレー装置におけるスプレーカバー１０にあっては、いろいろな構造あるいは形状にすることができるが、天面板１１や左右の側面板１２、前方連結板１３や後方連結板１４、また突出板１５等については、前述したものに限定されるものではなく、同様の機能を有するものならば良い。
【００４３】
なお、前述したスプレーカバー１０では紙からできていたが、これに限定されるものではなく、加工が容易なものならば良く、例えば、不織布、プラスチックシートといった各種の材料を用いることができ、また、これらの複合材料を用いても良い。
【００４４】
【発明の効果】
本発明によれば、スプレーカバーをスプレー本体に装着したとき、前方連結板と後方連結板とによりスプレー本体の前後において係止することができ、スプレーカバーをスプレー本体から外れにくくすることができる。これにより、スプレー本体を確実かつ良好に保護することができると共に、商品陳列時における薬剤の噴射といった誤作動の発生を防止することができる。
【００４５】
本発明によれば、スプレーカバーをスプレー本体に装着する際、前方連結板と後方連結板とにおいて、スプレー本体をけんどん式に嵌入可能にしたことにより、スプレー本体に容易に装着することができる。
【００４６】
本発明によれば、前方連結板と後方連結板との間隔距離をスプレー本体の前端から後端までの距離より小さくしたことにより、この前方連結板と後方連結板とによりスプレー本体に対してスプレーカバーを垂直方向に全く外れないようにすることができる。
【００４７】
本発明によれば、左右の側面板の内側にスプレー本体の下部に僅かに当たると共にスプレー本体に前後方向から当たるように内側に向かって突き出た突出板を備えたことにより、この突出板によってもスプレー本体に係止することができ、特に、突出板がスプレー本体に前後方向から当たることで、スプレー本体に対するスプレーカバーの前後への動きも規制することができ、スプレーカバーをスプレー本体からさらに外れにくくすることができる。
【図面の簡単な説明】
【図１】トリガー式スプレー装置の側面図である。
【図２】本発明によるスプレーカバーの側面図である。
【図３】本発明によるスプレーカバーの断面図である。
【図４】本発明によるスプレーカバーの斜視図である。
【図５】本発明によるスプレーカバーの装着例を説明する断面図である。
【図６】本発明によるスプレーカバーの展開図である。
【図７】本発明によるスプレーカバーの組立て状態を説明する斜視図である。
【図８】別形状のスプレー本体に使用するスプレーカバーの側面図である。
【図９】本発明による別のスプレーカバーの斜視図である。
【図１０】本発明による別のスプレーカバーの斜視図である。
【図１１】本発明による別のスプレーカバーの断面図である。
【図１２】本発明による別のスプレーカバーの斜視図である。
【図１３】本発明による別のスプレーカバーの装着例を説明する断面図である。
【図１４】本発明による別のスプレーカバーの装着例を説明する断面図である。
【図１５】従来のスプレーカバーの斜視図である。
【符号の説明】
１…容器、２…スプレー本体、３…キャップ、４…トリガーレバー、５…吸い上げチューブ、６…噴射ノズル、１０…スプレーカバー、１１…天面板、１２，１２ａ，１２ｂ…側面板、１３…前方連結板、１４…後方連結板、１５…突出板、２０…スプレーカバー、２１…天面板、２２…側面板。
【図１】
2004041876.tif 000003
【図２】
2004041876.tif 000004
【図３】
2004041876.tif 000005
【図４】
2004041876.tif 000006
【図５】
2004041876.tif 000007
【図６】
2004041876.tif 000008
【図７】
2004041876.tif 000009
【図８】
2004041876.tif 000010
【図９】
2004041876.tif 000011
【図１０】
2004041876.tif 000012
【図１１】
2004041876.tif 000013
【図１２】
2004041876.tif 000014
【図１３】
2004041876.tif 000015
【図１４】
2004041876.tif 000016
【図１５】
2004041876.tif 000017